(57)【要約】【課題】偏向器からの温風による光ビームの照射位置の変化を低減すること。【解決手段】光源６と、回転多面鏡１と駆動部９とを有する偏向器７と、レンズ群２及びミラー群３と、支持部材４３と、光学箱５と、上蓋１０と、を備える光走査装置２０であって、回転多面鏡１によって発生した空気のレンズ群２及びミラー群３の長手方向に沿った流れを底板５ｂから上蓋１０に向かって跳ね上げる底面突起１０１と、底面突起１０１によって跳ね上げられた空気の長手方向の流れを長手方向に交差する方向に変える蓋突起１０２と、を備える。【選択図】図７
2020038262.tif 000002
【特許請求の範囲】
【請求項１】
光ビームを出射する光源と、
前記光源から出射された光ビームを偏向する回転多面鏡と、前記回転多面鏡を駆動する駆動手段と、を有する偏向手段と、
前記回転多面鏡により偏向された光ビームを被走査体に導くための光学部材と、
前記光学部材を支持する支持部と、
底面と、前記底面から立設された側壁と、を有し、前記側壁に前記光源が取り付けられ、前記底面に前記支持部が取り付けられた筐体と、
前記側壁で囲まれた開口であって、前記偏向手段を前記底面に設置する際に前記偏向手段を通過させる前記開口を閉塞するカバー部材と、
を備える光走査装置であって、
前記回転多面鏡によって発生した空気の前記光学部材の長手方向に沿った流れを前記底面から前記カバー部材に向かって跳ね上げる跳ね上げ部と、
前記跳ね上げ部によって跳ね上げられた空気の前記長手方向の流れを前記長手方向に交差する方向に変える方向変換部と、
を備えることを特徴とする光走査装置。
【請求項２】
前記回転多面鏡の回転軸から前記跳ね上げ部までの前記長手方向における第１の距離は、前記回転軸から前記方向変換部までの前記長手方向における第２の距離よりも短いことを特徴とする請求項１に記載の光走査装置。
【請求項３】
前記回転軸から、前記光学部材のうち前記交差する方向において前記偏向手段に最も近い光学部材を支持する前記支持部のうち前記長手方向において前記偏向手段から最も遠い支持部までの第３の距離は、前記第２の距離よりも長いことを特徴とする請求項２に記載の光走査装置。
【請求項４】
前記跳ね上げ部は、前記長手方向における前記回転軸から前記第１の距離の位置の前記底面に前記偏向手段を挟んで２か所設けられ、前記カバー部材に向かって突出した第１の凸部であり、
前記方向変換部は、前記長手方向における前記回転軸から前記第２の距離の位置の前記カバー部材の前記底面に対向する側の面に前記偏向手段を挟んで２か所設けられ、前記底面に向かって突出した第２の凸部であることを特徴とする請求項２又は請求項３に記載の光走査装置。
【請求項５】
前記跳ね上げ部は、前記長手方向における前記回転軸から前記第１の距離の位置の前記底面に前記カバー部材に向かって設けられた第１の段差であり、
前記方向変換部は、前記長手方向における前記回転軸から前記第２の距離の位置の前記カバー部材の前記底面に対向する側の面に前記底面に向かって設けられた第２の段差であることを特徴とする請求項２又は請求項３に記載の光走査装置。
【請求項６】
前記方向変換部は、前記交差する方向に略平行に設けられていることを特徴とする請求項１から請求項５のいずれか１項に記載の光走査装置。
【請求項７】
前記方向変換部は、前記回転多面鏡の回転軸から前記交差する方向における端部までの距離が、前記回転軸から前記交差する方向における中央部までの距離よりも短いことを特徴とする請求項１から請求項５のいずれか１項に記載の光走査装置。
【請求項８】
前記光学部材のうち前記交差する方向において前記偏向手段に最も近い光学部材を支持する前記支持部は、フレア光が前記偏向手段に最も近い光学部材に入射することを遮る壁状部材であることを特徴とする請求項１から請求項７のいずれか１項に記載の光走査装置。
【請求項９】
感光体と、
前記感光体上に静電潜像を形成する請求項１から請求項８のいずれか１項に記載の光走査装置と、
前記光走査装置により形成された静電潜像を現像しトナー像を形成する現像手段と、
前記現像手段により形成されたトナー像を転写する転写手段と、
を備えることを特徴とする画像形成装置。
【発明の詳細な説明】
【技術分野】
【０００１】
本発明は、光走査装置及び画像形成装置に関し、複写機、プリンタ、ファクシミリ、それらの複合機等の画像形成装置に用いられる光走査装置に関する。
【背景技術】
【０００２】
電子写真方式の画像形成装置に用いられる光走査装置としては、次のような構成を備える光走査装置が周知である。即ち、光源から出射されるレーザー光を回転多面鏡により偏向し、結像光学系により感光体に向けて集光して感光体の感光面上に光スポットを形成し、この光スポットで感光体面を走査して感光体面上に潜像画像を形成する光走査装置である。
【０００３】
光走査装置内部には、半導体レーザーから出射されたレーザー光を偏向し走査するための、回転多面鏡を有する偏向器が設けられている。レーザー光を回転多面鏡により感光体上において走査させるとともに、感光体の動作に合わせて、半導体レーザーの発光、消灯が繰り返されることで、感光体上に所定の潜像画像が得られる。
【０００４】
偏向器は、回転多面鏡を高速で回転させるために、駆動部としてモーターを有しているため、光走査が長時間連続して行われた場合、高温になる。回転多面鏡が高速で回転し、偏向器が高温である場合、偏向器の熱が回転多面鏡で発生した空気の流れに乗り、高温の風となって周囲にまき散らされる。
【０００５】
通常、回転多面鏡によって走査された光を結像させるための走査光学系は、走査方向に長尺であり、コンパクトに設置したいため、偏向器近傍に配置される。その結果、走査光学系が配置される方向は走査光学系自体が障害物となるため、偏向器からの風が走査光学系の方向へ流れにくくなる。その場合、偏向器からの高温の風は、一旦、走査光学系と平行な方向に流れて光学箱の側壁にぶつかり、側壁を伝って光学箱全体にいきわたるように流れる。
【０００６】
そのため、偏向器からの高温の風が最初にぶつかる光学箱の側壁の温度が高くなる。また、走査光学系のミラーやレンズを長手方向における両端で支持部によって支持している場合、光学箱の側壁に近い支持部の温度も高くなる。光学箱の側壁の温度が上昇すると光学箱に反りが生じる。また、走査光学系のミラーやレンズの支持部の温度が上昇すると、ミラーやレンズの姿勢が変化する。つまり、偏向器の近傍に走査光学系が配置されることにより、光学箱の側壁や走査光学系の支持部の温度が上昇し、レーザー光の照射位置が昇温とともに大きく変動してしまう。特に、４色一体型の画像形成装置においては各色の照射位置の変動がばらばらに起こることで色がずれてしまうといった課題が発生する。このような課題に対して、例えば特許文献１には、偏向器上面の蓋に回転多面鏡と同心円状のビード加工を形成することで、放熱面積を増加させ、放熱効果を高める構成が開示されている。
【先行技術文献】
【特許文献】
【０００７】
【特許文献１】特開２０００−２５８７１９号公報
【発明の概要】
【発明が解決しようとする課題】
【０００８】
しかし、従来例のような構成で偏向器周辺の放熱効果を高めたとしても、次のような課題がある。すなわち、偏向器で温められた風は偏向器の周方向の成分を強く持つため、高温の風は偏向器から主走査方向に位置する側壁に向かって流れ、走査光学系の支持部の温度上昇を招くおそれがある。これにより、照射位置ずれが生じ、結果として色ずれの原因となるおそれがある。
【０００９】
本発明は、このような状況のもとでなされたもので、偏向器からの温風による光ビームの照射位置の変化を低減することを目的とする。
【課題を解決するための手段】
【００１０】
上述した課題を解決するために、本発明は、以下の構成を備える。
【００１１】
（１）光ビームを出射する光源と、前記光源から出射された光ビームを偏向する回転多面鏡と、前記回転多面鏡を駆動する駆動手段と、を有する偏向手段と、前記回転多面鏡により偏向された光ビームを被走査体に導くための光学部材と、前記光学部材を支持する支持部と、底面と、前記底面から立設された側壁と、を有し、前記側壁に前記光源が取り付けられ、前記底面に前記支持部が取り付けられた筐体と、前記側壁で囲まれた開口であって、前記偏向手段を前記底面に設置する際に前記偏向手段を通過させる前記開口を閉塞するカバー部材と、を備える光走査装置であって、前記回転多面鏡によって発生した空気の前記光学部材の長手方向に沿った流れを前記底面から前記カバー部材に向かって跳ね上げる跳ね上げ部と、前記跳ね上げ部によって跳ね上げられた空気の前記長手方向の流れを前記長手方向に交差する方向に変える方向変換部と、を備えることを特徴とする光走査装置。
【００１２】
（２）感光体と、前記感光体上に静電潜像を形成する前記（１）に記載の光走査装置と、前記光走査装置により形成された静電潜像を現像しトナー像を形成する現像手段と、前記現像手段により形成されたトナー像を転写する転写手段と、を備えることを特徴とする画像形成装置。
【発明の効果】
【００１３】
本発明によれば、偏向器からの温風による光ビームの照射位置の変化を低減することができる。
【図面の簡単な説明】
【００１４】
【図１】実施例１の画像形成装置の概略図
【図２】実施例１の光走査装置の概略図
【図３】実施例１の光走査装置内部の概略図
【図４】実施例１の偏向器から主走査方向への空気の流れを示す図
【図５】実施例１の偏向器から主走査方向への空気の流れを示す図
【図６】実施例１との比較のための従来の偏向器からの空気の流れを示す図
【図７】実施例１の偏向器からの空気の流れを示す図
【図８】実施例１の変形例の偏向器からの空気の流れを示す図
【図９】実施例２の光走査装置の上蓋の概略図
【発明を実施するための形態】
【００１５】
以下、本発明を実施するための形態を、実施例により図面を参照しながら詳しく説明する。
【実施例１】
【００１６】
［画像形成装置］
図１に実施例１の光走査装置２０を搭載したタンデム式カラープリンタである画像形成装置の断面構成図を示す。実施例１の画像形成装置は、図１に示すように画像形成部よりも下面側から露光する方式を採用しており、光走査装置２０は上方の感光ドラム２１へ向けて光ビームを照射する。実施例１の画像形成装置は、１つの光走査装置２０によって４つの感光ドラム２１ａ〜２１ｄ（以下、ａ〜ｄを省略することもある）が露光される構成を有している。これらの感光ドラム２１は、それぞれイエロー，マゼンタ，シアン，ブラックの各色に対応している。そして、各感光ドラム２１に静電潜像が形成されると現像器２２によって現像され、中間転写ベルト２３を介して、紙カセット２４から搬送された記録紙にトナー像が転写される。未定着のトナー像が転写された記録紙は、定着器２５によりトナー像が定着され装置外に排出される。なお、本発明が適用される画像形成装置は、図１に示した画像形成装置に限定されない。
【００１７】
［光走査装置］
図２、図３に光走査装置２０の全体図を示す。光走査装置２０は、底面をなす底板５ｂと、底板５ｂから立設された側壁とを有する筐体である光学箱５と、光学箱５を封止する上蓋１０と、を備えている。側壁は４面あり、特に、光学部材の長手方向に略直交する２つの側壁を側壁５ａという。上蓋１０は、４つの側壁で囲まれた開口であって、後述する偏向器７を底板５ｂに設置する際に偏向器７を通過させる開口を閉塞するカバー部材である。図２は光走査装置２０の上蓋１０を閉めた状態である。上蓋１０には、光走査装置２０内から感光ドラム２１に光ビームであるレーザー光を透過させるための透過部材等で形成された窓部１２が設けられている。図３は光走査装置２０の内部が見えるように上蓋１０を透過させた図である。図３では上蓋１０を二点鎖線で示す、図２、図３に示す光走査装置２０内には、光源６から出射された、画像信号に基づいたレーザー光を偏向し走査する偏向器７が中央部に配置されている。偏向手段である偏向器７は、回転多面鏡１と、回転多面鏡１を回転駆動するための駆動手段である駆動部９と、駆動部９を制御するための基板８とからなる。また、回転多面鏡１に対向する位置の被走査体である感光ドラム２１上にレーザー光を結像させつつ走査を行うための走査光学系（光学部材）がある。走査光学系は、静電潜像を形成するために感光ドラム２１を露光する光ビームを結像するためのレンズ群２と、偏向走査したレーザー光を各感光ドラム２１へ導くための折り返しミラー群（以下、ミラー群という）３から構成される。レンズ群２及びミラー群３は、イエロー，マゼンタ，シアン，ブラック各色に対応したものがそれぞれ配置されている。走査光学系の各光学部材（レンズ群２及びミラー群３）は長尺であり、少なくとも両端部に各光学部材を支持するための支持部である支持部材４３が設けられている。なお、副走査方向において回転多面鏡１に最も近く位置する支持部材４３を、特に支持部材４３ａとする。光走査装置２０は、光学箱５の底板５ｂに設けられた底面突起１０１と上蓋１０の光学箱５内部に対向する側に設けられた蓋突起１０２とを有する。蓋突起１０２は上蓋１０に設けられた部材であるが、図３では実線で示している。底面突起１０１及び蓋突起１０２については詳しく後述する。
【００１８】
ここで、図２〜図８で示している実施形態における座標系定義を説明する。走査光学系のレンズ群２及びミラー群３の長尺方向（長手方向）を主走査方向とし、光学箱５の底面（底板５ａ）と平行な面内で主走査方向と直交する方向を副走査方向とする。また、主走査方向、副走査方向に直交する方向で、光学箱５の底板５ｂから上蓋１０に向かう方向を上下方向とし、上蓋１０から光学箱５の底板５ｂへ向かう向きを下とし、反対に光学箱５の底板５ｂから上蓋１０へ向かう向きを上と定義する。また、偏向器７に副走査方向で最も近い光学部材を第１の光学部材と定義し、第１の光学部材の次に近い光学部材を第２の光学部材と定義する。
【００１９】
［偏向器近傍］
図４、図５には偏向器７付近を拡大した図を示す。レンズ群２のうち副走査方向において偏向器７に最も近いレンズである第１のレンズ２ａは、少なくとも長手方向における両端部において支持部材４３ａによって支持されている。回転多面鏡１は高速で回転するため、偏向器７の上部から空気が流入し、偏向器７を中心に空気が放射状に流れる。放射状に流れた空気（以下、気流ともいう）は、光学箱５の底板５ｂに沿って流れていく。偏向器７は長尺の２つの第１のレンズ２ａによって副走査方向において挟まれる構成となる。このため、副走査方向への空気の流れは第１のレンズ２ａにぶつかり、主走査方向へと流れを変える。したがって、偏向器７からの空気の流れは主走査方向における流れが支配的となる。
【００２０】
図５には、第１のレンズ２ａの保持も兼ねて、フレア光が第１のレンズ２ａに入射しないようにするために設けられた壁状部材６０を構成した例を示している。壁状部材６０は、光学部材のうち副走査方向において偏向器７に最も近い光学部材を支持する支持部として機能しつつ、フレア光が偏向器７に最も近い光学部材に入射することを遮る遮蔽部材としても機能する。この場合は、偏向器７から副走査方向への空気の流れが壁状部材６０によって抑えられ、偏向器７から主走査方向への空気の流れがより支配的となる。
【００２１】
［従来の光走査装置］
実施例１との違いを明確にするために、従来の構成に関する光走査装置２０’と内部の気流の概略図を図６に示す。図６では見やすさのため一部の部材、符号、引き出し線を省略している。図６（ａ）は従来の光学箱５’を上部から見た図、図６（ｂ）は従来の光学箱５’の図６（ａ）のＡ−Ａ’断面図である。上述したように光学部材で挟まれた偏向器７は、発熱により周囲の空気を温め、主走査方向への流れが支配的となる。図６（ａ）に示すように、主走査方向の高温の空気の流れは、一旦、光学箱５’の主走査方向に略直交するように設置された側壁５ａ’にぶつかって流れの方向を変える。その後、側壁５ａ’にぶつかって方向を変えた空気は、主走査方向に略直交するように設置された側壁５ａ’を伝って光学箱５’全体にいきわたるように流れる。そのため、偏向器７からの風が最初にぶつかる光学箱５’の主走査方向に略直交するように設けられた側壁５ａ’や、走査光学系のミラー群３やレンズ群２の両端を支持する支持部材４３’の温度が高くなる。
【００２２】
光学箱５’における主走査方向に略直交するように設けられた側壁５ａ’の温度が上昇すると、光学箱５’に反りが生じ、走査光学系のミラー群３やレンズ群２の姿勢が変化するおそれがある。特に、偏向器７に対して主走査方向に略直交するように設けられた側壁５ａ’に光源６が固定されており、側壁５ａ’の温度上昇により、光源６が傾くおそれがある。光源６の傾きは、レーザー光の照射位置の変動に対して敏感であるため、特に影響が大きい。また、光学箱５’における偏向器７に対して主走査方向に略直交するように設けられた側壁５ａ’の近くは、光学部材の支持部材４３’が配置されている。そのため、偏向器７からの高温の風により、この領域の温度が高くなり、走査光学系のミラー群３やレンズ群２の支持部材４３’が局所的に変形し、ミラー群３やレンズ群２の姿勢が変化するおそれがある。特に、４色一体型の画像形成装置においては、光源６、ミラー群３、レンズ群２の姿勢変化に伴う各色の照射位置の変動が起こることで、色ずれが発生するという課題が発生する。
【００２３】
［実施例１の光走査装置］
実施例１の光走査装置２０を図７に示す。図７では見やすさのため一部の部材、符号、引き出し線を省略している。図７（ａ）は光学箱５を上部から見た図、図７（ｂ）は光学箱５の図７（ａ）のＡ−Ａ’断面図である。図７に示すように、偏向器７からの主走査方向への空気の流れを照射位置の変動に対して敏感な側壁５ａや支持部材４３から離れる方向に誘導するための底面突起１０１と蓋突起１０２とを有する。底面突起１０１は、回転多面鏡１によって発生した空気の光学部材の長手方向に沿った流れを底板５ｂから上蓋１０に向かって跳ね上げる跳ね上げ部として機能する。また、蓋突起１０２は、底面突起１０１によって跳ね上げられた空気の長手方向の流れを長手方向に交差する方向である副走査方向に変える方向変換部として機能する。
【００２４】
底面突起１０１は、長手方向における回転多面鏡１の回転軸から距離ｌ１の位置の底板５ｂに偏向器７を挟んで２か所設けられ、上蓋１０に向かって突出した第１の凸部である。蓋突起１０２は、長手方向における回転多面鏡１の回転軸から距離ｌ２の位置の上蓋１０の底板５ｂに対向する側の面に偏向器７を挟んで２か所設けられ、底板５ｂに向かって突出した第２の凸部である。蓋突起１０２は、副走査方向（長手方向に交差する方向）に略平行となる形状で上蓋１０に設けられている。
【００２５】
底面突起１０１及び蓋突起１０２は、副走査方向を長手方向とする壁面を有し、主走査方向の流れを妨げるように配置される。また、底面突起１０１と偏向器７（回転多面鏡１の回転軸）の主走査方向における第１の距離である距離ｌ１は、蓋突起１０２と偏向器７（回転多面鏡１の回転軸）の主走査方向における第２の距離である距離ｌ２よりも短い（ｌ１＜ｌ２）。
【００２６】
実施例１の偏向器７からの空気の流れを説明する。図７（ｂ）には図７（ａ）の一点鎖線Ａ―Ａ’の断面図を示しており、偏向器７の上部から流入した流れは主走査方向へと光学箱５の底板５ｂを沿って流れ、まず底面突起１０１にぶつかる。次に底面突起１０１にぶつかった流れは上方に跳ね上がり、上蓋１０の内側にそって主走査方向へ流れ、蓋突起１０２にぶつかる。図７（ａ）に示すように蓋突起１０２にぶつかった流れは副走査方向（蓋突起１０２の長手方向）に分岐され、光学箱５の全体へと広がる。
【００２７】
このように底面突起１０１と蓋突起１０２によって偏向器７で温まった風を光学箱５の側壁５ａやレンズ群２やミラー群３の支持部材４３を避けるように誘導することができる。つまり、底面突起１０１及び蓋突起１０２の配置によって、光学箱５の側壁５ａやレンズ群２やミラー群３の支持部材４３の温度上昇を抑制し、照射位置ずれ、つまりは色ずれを大幅に低減することが可能となる。また、底面突起１０１及び蓋突起１０２によって空気の流れを誘導することで、温まった風を光学箱５の内部全体に分散させることができるため、光学箱５の内部の温度の差も小さくすることができる。温度の差を抑制する、言い換えれば温度分布を一様にすることによって光学箱５の全体の熱変形量を抑えることができるため、レーザー光の照射位置の変動を更に低減することが可能となる。
【００２８】
なお、蓋突起１０２と偏向器７（回転多面鏡１の回転軸）との主走査方向における距離ｌ２は、光学素子の支持部材４３と偏向器７（回転多面鏡１の回転軸）との主走査方向の第３の距離である距離ｌ３よりも短い（ｌ２＜ｌ３）構成とした方が好ましい。これは、距離ｌ２を距離ｌ３より短い構成とした方が、光学素子の支持部材４３の温度上昇を効果的に防ぐことができるからである。図７においては、ミラー群３及びレンズ群２のうち最も長尺の光学素子（例えば、ミラー３ａ）の端部と偏向器７（回転多面鏡１の回転軸）との主走査方向の距離を距離ｌ３として示している。更に、底面突起１０１は、主走査方向の幅よりも副走査方向の幅が大きい。
【００２９】
［底面突起及び蓋突起の変形例］
上述したように、底面突起１０１は偏向器７からの主走査方向の流れを上向きに跳ね上げるという機能を有し、蓋突起１０２は主走査方向の流れを副走査方向への流れに変えるという機能を有している。このような機能が果たせる範囲であれば、実施例１における底面突起１０１及び蓋突起１０２それぞれの形状が限定されることはない。図８は、変形例を示す断面図であり、図７（ｂ）と同様の断面図である。例えば、図８に示すように、変形例の底面突起１０１ａ、蓋突起１０２ａは、光学箱５の底板５ｂ又は上蓋１０に段差を形成した突起でもよい。
【００３０】
具体的には、変形例の底面突起１０１ａは、光学箱５の底板５ｂにおいて、回転多面鏡１の回転軸から距離ｌ１の位置で底板５ｂよりも高くなる段差を有し、この段差によって偏向器７からの風を上部に跳ね上げる。すなわち、底面突起１０１ａは、長手方向における回転多面鏡１の回転軸から距離ｌ１の位置の底板５ｂに上蓋１０ａに向かって設けられた第１の段差である。
【００３１】
変形例の蓋突起１０２ａは、回転多面鏡１の回転軸から距離ｌ２の位置で底板５ｂに向かう段差を有し、この段差によって偏向器７からの風の向きを主走査方向から副走査方向に変える。すなわち、蓋突起１０２ａは、長手方向における回転多面鏡１の回転軸から距離ｌ２の位置の上蓋１０ａの底板５ｂに対向する側の面に底板５ｂに向かって設けられた第２の段差である。
【００３２】
段差として形成された底面突起１０１ａ及び蓋突起１０２ａは、光学箱５において、偏向器７に最も近い光学部材に挟まれた領域内に形成される。底面突起１０１ａ及び蓋突起１０２ａは、副走査方向における長さが、偏向器７に最も近い光学部材に挟まれた領域の副走査方向における長さよりも短く、例えば副走査方向に平行に設けられる。更に、底面突起１０１ａ及び蓋突起１０２ａの段差の形状に、Ｃ面やＲ面等の変形加工が付与されていても、上述した機能を有する範囲であれば、本特許の突起に含まれる。
【００３３】
以上、実施例１によれば、偏向器からの温風による光ビームの照射位置の変化を低減することができる。
【実施例２】
【００３４】
実施例２の構成を図９に示す。図９は上蓋１０を上下方向の下側（光学箱５の底板５ｂ側）から見た図である。図９（ａ）では、蓋突起１０２ｂの端部と偏向器７（回転多面鏡１の回転軸）との主走査方向における距離ｌｅは、蓋突起１０２ｂの中央部と偏向器７（回転多面鏡１の回転軸）との主走査方向における距離ｌｃよりも短い（ｌｅ＜ｌｃ）。この場合、蓋突起１０２ｂにぶつかってから副走査方向に分岐された流れは、蓋突起１０２ｂの中央部から端部へと、主走査方向に設けられた光学箱５の側壁５ａから離れる方向に流れる。つまり、光学箱５の側壁５ａの温度上昇を防ぎ、光学箱５全体に空気の流れを拡散することができ、照射位置の変動を低減するに効果的である。図９（ａ）の蓋突起１０２ｂは、側壁５ａに向かって突出する「く」の字形状である。
【００３５】
蓋突起１０２の形状として図９（ｂ）のように湾曲した形状を有する蓋突起１０２ｃとしてもよい。この場合も、蓋突起１０２ｃの湾曲した個所と偏向器７との主走査方向における距離ｌｃよりも、端部と偏向器７との主走査方向における距離ｌｅの方が短い（ｌｅ＜ｌｃ）。ここで、距離ｌｅは、蓋突起１０２ｃの少なくとも一方の端部と偏向器７（回転多面鏡１の回転軸）との主走査方向の距離である。また、距離ｌｃは、蓋突起１０２ｃのうち、偏向器７（回転多面鏡１の回転軸）からの距離が最も大きくなる箇所（図９（ａ）では湾曲部）の距離である。図９（ａ）と同様に、蓋突起１０２ｃによって副走査方向に分岐された空気の流れは、最終的に主走査方向に設けられた側壁５ａから離れる方向に形成される。図９（ｂ）の蓋突起１０２ｃは、側壁５ａに向かう「Ｗ（又はＭ）」字形状である。蓋突起１０２ｂ、１０２ｃの形状の一部が、蓋突起１０２ｂ、１０２ｃの副走査方向の端部よりも、偏向器７に対して主走査方向において遠い位置に配置される。
【００３６】
なお、図９では、実施例１の蓋突起１０２の変形例として蓋突起１０２ｂ、１０２ｃを説明した。しかし、実施例１の第２の段差である蓋突起１０２ａの輪郭が「く」の字形状や「Ｗ」字形状であってもよい。
【００３７】
以上、実施例２によれば、偏向器からの温風による光ビームの照射位置の変化を低減することができる。
【符号の説明】
【００３８】
１      回転多面鏡
２      レンズ群
３      ミラー群
５      光学箱
６      光源
７      偏向器
９      駆動部
１０    蓋
１０１  底面突起
１０２  蓋突起
【図１】
2020038262.tif 000003
【図２】
2020038262.tif 000004
【図３】
2020038262.tif 000005
【図４】
2020038262.tif 000006
【図５】
2020038262.tif 000007
【図６】
2020038262.tif 000008
【図７】
2020038262.tif 000009
【図８】
2020038262.tif 000010
【図９】
2020038262.tif 000011